(57)【要約】  本発明は、コンテナから２つの別個の液体を特定の計量比で同時に注出するために機能する。この目的のため、このコンテナの内部に別のコンテナが配置される。コンテナクロージャはマウスキャップ（１）を形成する。これは、内部空間（１１）を備え、垂直の同心円上の注ぎ口（２）の中へ円錐形に上方に先細になる。底部に半径方向に突出する突出物（５）を有する、より大きな密封可能な注ぎ口ネック（４）がマウスキャップ（１）の垂直注ぎ口（２）の周辺に同心円上に配置される。この突出物（５）は、支持ブレース（６）によって、円錐形のテーパにより形成された肩部（７）上に支持される。支持ブレース（６）までを囲む流量開口（９）は、肩部（７）と、突出物（５）およびより大きな注ぎ口ネック（４）の内側縁部（８）との間で開口している。支持ブレース（６）および半径方向突出部（５）の中をそれぞれ、マウスキャップ（１）の内部と、より大きな注ぎ口ネック（４）の外部空間（１６）とを連通する穿孔（１０）が貫通する。コンテナが傾けられるとき、別々の内容物が特定の比率で注出される。【選択図】図５
2009514749.tif 000002
【特許請求の範囲】
【請求項１】
中に別のコンテナがあるコンテナから特定の計量比で２つの別個の液体を同時に注出するためのコンテナクロージャであって、内部空間（１１）を備え円錐形に上方に向かって垂直の同心円上の注ぎ口（２）内へと先細になる、内部コンテナを受けて保持し、その内容物を注出するためのマウスキャップ（１）を形成し、底部に半径方向に突出する突出部（５）を有するより大きな密封可能な注ぎ口ネック（４）が、このマウスキャップ（１）の前記垂直の注ぎ口（２）の周囲に同心円上に配置され、この突出部（５）が少なくとも２つの支持ブレース（６）によって、円錐形テーパにより形成された肩部（７）上に支持され、前記支持ブレースまでを囲む流量開口（９）が、片側のこの肩部（７）と、反対側の前記突出部（５）および前記より大きな注ぎ口ネック（４）の内縁部（８）の間で開口しており、少なくとも１つの穴（１０）が、前記支持ブレース（６）および前記半径方向突出部（５）の中を通り、それぞれが前記マウスキャップ（１）の内部と前記より大きな注ぎ口ネック（４）の外部空間（１６）を連通し、その結果前記内部コンテナの外部から流出する前記液体が、前記クロージャから吐出されるまでその流出方向を少なくとも２回横方向に偏向されるという事実を特徴とするコンテナクロージャ。
【請求項２】
中に別のコンテナがあるコンテナから特定の計量比で２つの別個の液体を同時に注出するためのコンテナクロージャであって、前記マウスキャップ（１）が、適合する内部コンテナ（２３）をねじ込むための内部ねじ山（１３）を有し、前記より大きな注ぎ口ネック（４）が、好適なクロージャキャップ（３）を上にねじ込むことができる外部ねじ山を有することを特徴とする、請求項１に記載のコンテナクロージャ。
【請求項３】
中に別のコンテナがあるコンテナから特定の計量比で２つの別個の液体を同時に注出するためのコンテナクロージャであって、前記マウスキャップ（１）が、適合する内部コンテナ（２３）をねじ込むための内部ねじ山（１３）を有し、この上に好適なクロージャキャップ（３）をねじ込むことができるねじ込み接続部（１４）が、前記より大きな注ぎ口ネック（４）および前記穴（１０）の上部マウス周辺の外側に前記半径方向突出物（５）と同心円上に形成されることを特徴とする、請求項１に記載のコンテナクロージャ。
【請求項４】
中に別のコンテナがあるコンテナから特定の計量比で２つの別個の液体を同時に注出するためのコンテナクロージャであって、前記突出物（５）が、外周周辺に分散されて配置された３つの支持ブレース（６）によって、円錐形のテーパリングにより形成された前記肩部（７）の上に支持されるという事実を特徴とする、前記請求項のいずれか一項に記載のコンテナクロージャ。
【請求項５】
中に別のコンテナがあるコンテナから特定の計量比で２つの別個の液体を同時に注出するためのコンテナクロージャであって、前記突出物（５）が、外周周辺に分散されて配置された４つの支持ブレース（６）によって、円錐形のテーパリングにより形成された前記肩部（７）の上に支持されるという事実を特徴とする、請求項１から３のいずれか一項に記載のコンテナクロージャ。
【請求項６】
中に別のコンテナがあるコンテナから特定の計量比で２つの別個の液体を同時に注出するためのコンテナクロージャであって、前記注ぎ口（２）のマウス、およびその周辺で同心円上に配置された前記より大きな注ぎ口ネック（４）のマウスが、同一面内に配置されるという事実を特徴とする、前記請求項のいずれか一項に記載のコンテナクロージャ。
【請求項７】
中に別のコンテナがあるコンテナから特定の計量比で２つの別個の液体を同時に注出するためのコンテナクロージャであって、前記注ぎ口（２）のマウス、およびその周辺で同心円上に配置された前記より大きな注ぎ口ネック（４）のマウスが、同一面内に配置され、鋭利なマウス縁部を有するという事実を特徴とする、前記請求項のいずれか一項に記載のコンテナクロージャ。
【請求項８】
中に別のコンテナがあるコンテナから特定の計量比で２つの別個の液体を同時に注出するためのコンテナクロージャであって、前記半径方向突出物（５）上で前記より大きな注ぎ口ネック（４）の周辺に同心円上に配置された前記ねじ込み接続部のマウスが、前記注ぎ口ネック（４）のマウスに対して後方に移動され、その結果、前記ねじ込み接続部に対してねじ込むことができるクロージャキャップの内部面が、ねじ込むことによって、前記注ぎ口ネック（４）および前記内部注ぎ口（２）のマウスを密封式に押圧することができるという事実を特徴とする、前記請求項のいずれか一項に記載のコンテナクロージャ。
【請求項９】
中に別のコンテナがあるコンテナから特定の計量比で２つの別個の液体を同時に注出するためのコンテナクロージャであって、前記クロージャキャップ（３）が、トランペットの様なマウスの形態でその底端部で広がり、初期の不正開封防止を保証するものとして作用する周辺切り取り線（２１）を介してクロージャキャップスリーブ（１９）の肩部（２０）で終端し、前記コンテナクロージャの前記半径方向突出部（５）を介して上方から設置することができ、前記コンテナ接続部にねじ込むまたはたたくことによって装備される、前記コンテナの前記マウス上のこの密封部分を押圧するという事実を特徴とする、前記請求項のいずれか一項に記載のコンテナクロージャ。
【請求項１０】
中に別のコンテナがあるコンテナから特定の計量比で２つの別個の液体を同時に注出するためのコンテナクロージャであって、前記クロージャキャップスリーブ（１９）が、ねじ込む際、同一のロック固定歯を備えた前記コンテナ接続部の前記ねじ山に係合するロック固定歯を有するねじ山を備えるという事実を特徴とする、請求項９に記載のコンテナクロージャ。
【請求項１１】
前記ねじ込み接続部（１４）の内部面と、前記より大きな注ぎ口ネック（４）の外部面の間の空間（１６）内で軸方向に可動に担持される可動密封要素（２７）が、そこで軸方向に円滑に移動し、前記内部（１１）および前記外部注ぎ口ネック（４）のための密封面（２８、２９）を前方端に形成することができるという事実を特徴とする、請求項１に記載のコンテナクロージャ。
【請求項１２】
コンテナクロージャが、垂直方向から前記コンテナクロージャの水平位置をわずかに超えて、リップ（２８）を密封することによって前記より大きな接続部（４）の内部（１２）を密封し、プラグ(２９)を密封することによって前記内部空間（１１）を密封する可動密封要素（２７）を含むという事実を特徴とする、請求項１に記載のコンテナクロージャ。
【請求項１３】
前記可動密封要素（２７）が、前記コンテナの直立位置のために、重力によってその密封面（２８、２９）を使用して前記接続部（４、１１）を密封し、９０°を超える注出位置に前記コンテナを傾けるために、前記密封要素（２７）が重力によって前方へ移動され、液圧がその密封面（２８、２９）に対して作用し、その結果これが開放するという事実を特徴とする、請求項１２に記載のコンテナクロージャ。
【発明の詳細な説明】
【技術分野】
【０００１】
本発明は、特定の計量比で２つの別個の液体を同時に注出し、注出をいつでも中断および再開することができるコンテナクロージャに関する。例えば、第１の液体を含むコンテナがあり、このコンテナの中に第２の液体のコンテナがあり、この別個の内部コンテナが異なる第２の液体を収容する。内部コンテナは、外部コンテナと同心円上に配置され底部に向かって延伸するように、外部コンテナより幾分小さく作成されてよく、その中に垂下して配置される、すなわちクロージャシステム内に垂下して保持されてよい。これらの２つの別個の異なる液体は、注出するためにはまず一緒に混合する必要のあるあらゆる種類の化学製品、または例えば、恐らく飲料用に、アルコール飲料と直接混合する必要のある全ての種類のフルーツジュースおよびレモネードなどの飲料用液体であり得る。
【背景技術】
【０００２】
現在、特定の一定の計量比で注出されるように、２つの異なる内容物を同時に連続的に注出することが可能なコンテナクロージャが望まれている。これは、別個のコンテナ、すなわち外部コンテナならびに内部コンテナができるだけ同時に空になることを保証しなければならない。さらに、液体流は泡のない状態を維持しなければならず、実際のコンテナクロージャは、できるだけ少ない部品で作成され、できるだけ経済的に組み立てられなければならない。内部コンテナの内容物が外部コンテナ内に逆流したり、内容物が外部コンテナから内部に逆流することができないように、コンテナの注出位置を中断することにより、液体流を迅速に中断する必要がある。
【発明の開示】
【発明が解決しようとする課題】
【０００３】
したがって本発明の課題は、最小限の部品で構成され経済的に組み立てることのできる、特定の計量比で２つの別個の液体を同時に注出するためのコンテナクロージャを製作することである。さらに、このクロージャは上記の要求を満たし、不正開封防止クロージャとして動作することができなければならない。
【０００４】
この問題は、中に別個のコンテナがあるコンテナから特定の計量比で２つの別個の液体を同時に注出するコンテナクロージャによって解決され、このコンテナクロージャは、内部空間を備え円錐形に上方に向かって垂直の同心円上の注ぎ口内へと先細になる、内部コンテナを受けて保持しその内容物を注出するマウスキャップを形成し、底部に半径方向に突出する突出部を有するより大きな密封可能な注ぎ口ネックが、このマウスキャップの垂直の注ぎ口の周囲に同心円上に配置され、この突出部が少なくとも２つの支持ブレースによって、円錐形テーパにより形成された肩部上に支持され、支持ブレースまでを囲む流量開口が、この片側の肩部と、反対側の突出部およびより大きな注ぎ口ネックの内縁部の間に開口しており、少なくとも１つの穴が支持ブレースおよび半径方向突出部の中を通り、それぞれがマウスキャップの内部と、より大きな注ぎ口ネックの外部空間とを連通し、その結果内部コンテナの外部から流出する液体が、クロージャから吐出されるまでその流出方向を少なくとも２回横方向に偏向されるという事実を特徴とする。
【課題を解決するための手段】
【０００５】
コンテナから特定の計量比で２つの別個の液体を注出するこのコンテナクロージャが、異なる視点で図面に示されている。クロージャはこれら図面を基に個々に記載され、その機能が説明されている。
【０００６】
このコンテナクロージャは、中に別個のコンテナが存在するコンテナから特定の計量比で２つの別個の液体を注出するのに好適である。図１で見ることができるように、このコンテナクロージャは、内部コンテナを受けてこれを保持し、この内部コンテナおよび外部コンテナ両方の内容物を注出するためのマウスキャップ１で構成される。このマウスキャップ１は円錐形に上方に先細となり、その結果肩部７を形成する。次にこれは垂直の同心円上の注ぎ口２へと移行する。マウスキャップ１のこの垂直注ぎ口２の同心円上により大きな注ぎ口ネックが形成されるが、これは、外部ねじ山２６を備えた別の同心接続部１４が注ぎ口ネックの周辺に同心円上に延在するため、ここでは見ることができない。半径方向突出部５がその底端部に形成され、この突出部５は、少なくとも２つの支持ブレース６によって、円錐形テーパにより形成された肩部７上に支持される。示される実施例において、４つの支持ブレース６が外周上に分散されて配置されている。しかしながら、２つ、３つのみ、または４つを超える支持ブレースがある場合もある。支持ブレース６までを囲む流量開口９が、片側の肩部７と、反対側の突出部５、および頂部に向かって接続するより大きな接続部の内部縁部８との間に開口している。少なくとも１つの穴が、支持ブレース６および半径方向突出部５の中をそれぞれ通り、マウスキャップ１の内部と、ここでは見ることのできない注ぎ口ネックの外部、およびねじ込み接続部１４の内部の空間とを連通する。マウスキャップ１の底部側に形成されるねじ込みスリーブ１５は、その内部ねじ山１３によって、外部コンテナまたは外部ボトルの中に内部コンテナまたは内部ボトルを保持するように機能する。
【０００７】
図２は、斜め上方から見たコンテナクロージャを示す。ここで、突出物５、およびその上に形成されるより大きな注ぎ口ネック４、ならびに注ぎ口ネック４の周辺に同心円上に配置される同心のねじ込み接続部１４を見ることができる。これにより内部注ぎ口２の内部１１は内部コンテナまたは内部ボトルと連通し、より大きな注ぎ口ネック４の内部１２は、外部コンテナまたは外部ボトルの内部と連通する。穴１０は、突出物５の上側から始まり底部に向かって、支持ブレース６（ここでは見ることができない）を通って内部コンテナまたは内部ボトル内へと通じる。これらの穴１０は、注出する際、単位時間ごとに正確な量の流体が流出し、外部コンテナまたは外部ボトルとの同時の吐出が確実になるように、内部コンテナ内へ厳密な空気量が流れ込むよう管理する。
【０００８】
図３において、内部ねじ山１３を備えたねじ込みスリーブ１５が内側にあるマウスキャップ１を下から見ることができる。ここで、実施例では４つある穴１０を、肩部７の底部側に見ることができる。これらは、同様に外周周辺に分散して配置される４つの支持ブレース６内を通り、より大きな注ぎ口ネック４の外側の空間内へと外方に向かうが、ねじ込み接続部１４内にある。図４において、切断線Ａ−Ａが引かれた下方から見たコンテナクロージャを見ることができ、肩部７の底部側に注ぎ口の内部１ならびに穴１０を見ることができる。
【０００９】
図５は、図４に示す切断線Ａ−Ａに沿った側部からのコンテナクロージャの断面図を示す。この断面図によって、コンテナクロージャ１の内部構造が見られる。まず、底部に内部ねじ山１３を備えたねじ込みスリーブ１５を見ることができる。コンテナ接続部の外部ねじ山、すなわち内部コンテナまたは内部ボトルのねじ山が、この内部ねじ山１３にねじ込まれる。ねじ込みスリーブ１５は、その上部側で円錐形に先細となり直径が小さくなり、その結果円錐形の先細の肩部７を形成し、最終的に縮小された注ぎ口２へと先細になる。内部注ぎ口２の周辺に同心円上に配置されるより大きな注ぎ口ネック４が、肩部７上に形成され、個別の支持ブレース６または支持要素上に保持される。注ぎ口ネック４の底端部で、平坦な突出物５が半径方向外側に伸展する。この上に、対応するクロージャキャップをねじ込むことができる外部ねじ山２６を備えた別のねじ込み接続部１４が形成される。穴は、このねじ込み接続部１４の内側とより大きな注ぎ口ネック４の外側の間の空間１６から底部に向かい、その下に位置する支持ブレース６を通って進み、最終的に肩部７の底部側で内部コンテナまたは内部ボトル内へと開口する。注ぎ口ネック４の底部内縁部と注ぎ口２の外縁部の間には空隙があり、その結果、外周上に個別の支持ブレース６によってのみ遮断される出口開口が形成される。その結果外部コンテナまたは外部ボトル内の液体は、注出する際肩部７と突出物５の底部側の間を出口開口９へと流れ、次いで内部注ぎ口２の外側と注ぎ口ネック４の内側の間を外部へ向かって流れる。したがって、外部へ流れる際、方向の変化が２回生じる。しかしながら同時に、液体は肩部７の底部側の内部コンテナまたは内部ボトルから、ここでは中央注ぎ口２まで流出する。したがって内部コンテナまたは内部ボトルに、穴１０によって外部から空気が供給される。これらの穴１０の寸法決めは、単位時間当たりの注出量に対して決定される。これは、内部コンテナと外部コンテナまたは内部ボトルと外部ボトルのサイズ比によって、同時の吐出が確実になるように寸法決めされる。
【００１０】
図５から見ることができるように、注ぎ口２のマウス、およびその周辺の同心円上に配置される大型の注ぎ口ネック４は、同レベルに位置し、最初の注出の急な中断を容易にし、さらに１つの接続部から他の接続部へ流体が及ぶのを防ぐ鋭利なマウス縁部を有する。半径方向突出物５上でより大きな注ぎ口ネック４の周囲に同心円上に位置するねじ込み接続部１４のマウスは、注ぎ口ネック４のマウスからわずかに後退し、その結果、ねじ込み接続部１４にねじ込むことができるクロージャ蓋の内面が、ねじ込むことによって注ぎ口ネック４および内部注ぎ口２のマウスを押圧して密封することができる。ここでは示さない別の変形体において、突出物５の外部ねじ込み接続部は省略されてよい。この場合、より大きな注ぎ口ネック４自体が、好適なクロージャキャップを直接ねじ込むことができる外部ねじ山を備える。
【００１１】
図６は、コンテナクロージャに付属する特定のクロージャキャップ３を示す。これはクロージャ蓋１８、および異なる直径のクロージャキャップスリーブ１９から構成される。クロージャキャップスリーブ１９は、その肩部２０によって、嵌合されるコンテナまたは嵌合されるボトルの接続部にコンテナクロージャの半径方向突出物５を押圧するように機能する。クロージャキャップ３は、トランペットの様なマウスの形態でその底端部において広がり、初期の不正開封防止を保証するものとして作用する周辺切り取り線２１を介して、締付けスリーブとして作用するクロージャキャップスリーブ１９の肩部２０で終端し、コンテナクロージャの半径方向突出部５を介して上方から装着することができる。クロージャ１はコンテナのマウス上に押圧され、コンテナ接続部に対してねじ込むことによって密封される。このためにクロージャキャップスリーブ１９は、コンテナ接続部のねじ山にねじ込む際、コンテナ接続部の同一のロック固定歯に係合するロック固定歯を有するねじ山を備える。クロージャ１８は、コンテナクロージャを開封し、再び密封するように機能する。２つの部分１８、１９は、切り取り線２１によってのみ、すなわち図６のすぐ隣に拡大された詳細な図Ｃに示されるいくつかのブリッジ要素１７によってのみ互いに接続される。  
【００１２】
図７において、このクロージャキャップ３を貫通する直径方向の断面図が示されている。上方クロージャ蓋１８ならびに下方クロージャキャップスリーブ１９は共に、内部ねじ山を有する。断面図のすぐそばに、詳細な断面図Ｂが示される、すなわち、上方クロージャ蓋１８の下方クロージャキャップスリーブ１９への移行は、いくつかの脆いブリッジ要素１７のみによって構築され、その結果ブリッジ要素１７は不正開封防止構造を形成する。これらのブリッジ１７は、初期の開封またはクロージャ蓋１８を回して開封する際に壊される。
【００１３】
最後に図８は、第２の別の液体用の別個の内部コンテナ２３を備えたコンテナまたはボトル上に配置されたクロージャキャップ３を備えたコンテナクロージャ１を示す、これもやはり直径方向の断面図である。内部ボトル２３は、コンテナクロージャ１のねじ込みスリーブ１５の内部ねじ山１３にねじ込まれる。次に内部ボトル２３が、コンテナクロージャ１から下垂して外部コンテナ２４の内側に配置され、最終的にコンテナクロージャの半径方向突出物５が、外部コンテナ２４の接続縁部上に載置する。次にクロージャキャップ３が配置され、その後その肩部２０が、より大きいコンテナ２４の接続部上で、コンテナクロージャ１の半径方向突出物５を緊密に押圧する。ここで上方ねじ込みキャップ１８がブリッジ要素を壊し、下方クロージャねじ込みキャップ１９から分離され、コンテナクロージャのねじ込み接続部１４から回して外すことができ、その後大型のコンテナ２４および内部コンテナ２３の中の２つの液体を、正確に所定の比率で同時に注出することができる。この図８の詳細Ｃが図９に拡大されて示される。
【００１４】
図１０による実施形態において、コンテナクロージャは付加的密封要素３０によって嵌合される。これはここでは密封状態で示される。これは以下の目的を有する。コンテナまたはコンテナボトルが、特定の計量比で２つの別個の液体を同時に注出するために、このような密封要素をいずれも含まないコンテナクロージャに嵌合された場合、ボトルまたはコンテナを直立位置から注出位置へゆっくりと傾け、ある程度水平に保持するだけで、外部コンテナ内の液体が流出し始め、その間内部コンテナ内の液体は流出しない。コンテナクロージャは、つまり同時に注出するために、コンテナボトルが３０°以上の勾配で保持された場合のみ確実に機能する。ここで付加的密封要素３０により、ボトルが十分に傾けられた場合のみ注出が行われることになる。このために、密封要素３０は外部接続部４の外側領域内に担持される。これは、この外部接続部４の周辺で担持され前方が密封された管２７で構成され、２つの密封面２８、２９が、このクロージャの内側に形成される。一方の密封面２９は円錐形に形成され、内部注ぎ口ネック２を密封するために示されるように機能し、外部密封面２８は、やはり円錐形に形成され、外部接続部４の中を貫通し、同様の密封部分を閉鎖する。若干大きい第２の管３１が、接続部４の外側に管２７と同心円上のその周辺で密封要素３０の上に形成され、これは、いくつかの半径方向ブリッジ３２（図１３、１４）によってより小さい管２７に接続される。しかしながら、ここではこれらブリッジ３２の間の空間３３のみを見ることができる。外側の管３１は、頂部または外部に対してわずかに円錐形に外側に向かって先細になる。溝３４が、ねじ込み接続部１４の内側に形成される。組み立てるために管２７、３１が上方からこのねじ込み接続部１４に押し付けられる場合、外側管３１の上方端縁部がこの溝３４を止め具として認識し、その後、ここに示されるこの密封位置と図１１に示す下方の開放位置の間で軸方向に移動することができる。  
【００１５】
図１２は、この密封要素３０の作動方法を示す。密封要素３０は、その直立ボトルまたは直立コンテナの重力によりその下方位置にあり、接続部を密封する。コンテナまたはボトルが、注出するために正確には９０°を超えて、好ましくは約１２０°以上傾けられた場合、密封要素３０は、重力によって、このような傾いた注出位置で示される開放位置へ外側に向かって摺動する。したがって密封要素３０は、コンテナの型枠が最小限傾けられ、その結果少なくとも３０°の傾斜位置を有する注出位置になるとき初めてクロージャが開放されるように作動する。この傾斜位置で、両方のコンテナから確実に所望の計量比で内容物が円滑に流出する。図１３は、密封要素３０を前方から見た斜視図を、図１４は、これを後方から見た図を別々に示す。
【図面の簡単な説明】
【００１６】
【図１】斜め下方から見たコンテナクロージャの斜視図である。
【図２】斜め上方から見たコンテナクロージャの図である。
【図３】斜め下方から見たコンテナクロージャの図である。
【図４】切断線Ａ−Ａが引かれた、下方から見たコンテナクロージャの図である。
【図５】図４に示す切断線Ａ−Ａに沿った、側部から見たコンテナクロージャの断面図である。
【図６】上記に示した斜めからのコンテナクロージャのクロージャキャップの斜視図、およびその隣の詳細な部分Ｃの図である。
【図７】コンテナクロージャのクロージャキャップの直径方向の断面図、およびその隣の詳細な部分Ｂの図である。
【図８】これも、第２の別個の液体用の内部コンテナを備えたコンテナ上に組み立てられたクロージャキャップが嵌合されたコンテナクロージャの直径方向の断面図である。
【図９】詳細な部分Ｃの図８によるクロージャキャップが嵌合されたコンテナクロージャの図である。
【図１０】密封要素が密封状態である、付加的密封要素を備えたコンテナクロージャの図である。
【図１１】密封要素が開放状態である、付加的密封要素を備えたコンテナクロージャの図である。
【図１２】コンテナの直立位置およびコンテナの注ぎ位置での付加的密封要素を備えたコンテナクロージャの図である。
【図１３】前方から見た密封要素の斜視図である。
【図１４】後方から見た密封要素の斜視図である。
【図１】
2009514749.tif 000003
【図２】
2009514749.tif 000004
【図３】
2009514749.tif 000005
【図４】
2009514749.tif 000006
【図５】
2009514749.tif 000007
【図６】
2009514749.tif 000008
【図７】
2009514749.tif 000009
【図８】
2009514749.tif 000010
【図９】
2009514749.tif 000011
【図１０】
2009514749.tif 000012
【図１１】
2009514749.tif 000013
【図１２】
2009514749.tif 000014
【図１３】
2009514749.tif 000015
【図１４】
2009514749.tif 000016
【国際調査報告】
2009514749.tif 000017
2009514749.tif 000018
2009514749.tif 000019
2009514749.tif 000020
2009514749.tif 000021
2009514749.tif 000022